(57)【要約】【課題】微弱電波で特定者向けに放送されるコンテンツを容易に視聴可能なワンセグメントスポット放送システム及び受信方法、並びに放送装置、携帯端末を提供する。【解決手段】放送装置１は、放送コンテンツを微弱電波で放送する放送コンテンツ送信部１１と、携帯端末２からの要求に応じて微弱電波の周波数を示すチャンネル情報を送信する情報通知部１２とを有し、携帯端末２は、チャンネル情報の送信を要求する情報要求部２１と、チャンネル情報に基づいて受信チャンネルを設定するチャンネル設定部２２とを有する。【選択図】図１
2010103632.tif 000002
【特許請求の範囲】
【請求項１】
微弱電波でワンセグメント放送を行う放送装置から放送される放送コンテンツを携帯端末において視聴するワンセグメントスポット放送システムであって、
前記放送装置は、
前記放送コンテンツを前記微弱電波で放送する手段と、
前記携帯端末からの要求に応じて、前記微弱電波の周波数を示すチャンネル情報を、要求元の携帯端末へ送信する手段とを有し、
前記携帯端末は、
前記チャンネル情報の送信を前記放送装置に要求する手段と、
前記放送装置から取得したチャンネル情報に基づいて、ワンセグメント放送の受信チャンネルを設定する手段とを有することを特徴とするワンセグメントスポット放送システム。
【請求項２】
前記チャンネル情報及びその送信要求を、前記放送装置と前記携帯端末との間の非接触通信によって授受することを特徴とする請求項１記載のワンセグメントスポット放送システム。
【請求項３】
前記放送装置は、
放送コンテンツを暗号化して暗号化放送コンテンツを生成する手段と、
前記暗号化放送コンテンツを復号する際に用いられる暗号情報の送信を要求する携帯端末に、前記放送コンテンツを再生する権限があるか否かを判断する手段と、
前記放送コンテンツを再生する権限を有する携帯端末からの要求に応じて、前記暗号情報を、要求元の携帯端末へ送信する手段とを有し、
前記携帯端末は、
前記暗号情報の送信を前記放送装置に要求する手段と、
前記放送装置から取得した暗号情報に基づいて、ワンセグメント放送を受信して取得した前記暗号化放送コンテンツを復号する手段とを有することを特徴とする請求項１又は２記載のワンセグメントスポット放送システム。
【請求項４】
前記暗号情報及びその送信要求を、前記放送装置と前記携帯端末との間の非接触通信によって授受することを特徴とする請求項３記載のワンセグメントスポット放送システム。
【請求項５】
前記放送装置は、前記放送コンテンツを格納する放送コンテンツ格納手段を有することを特徴とする請求項１から４のいずれか１項記載のワンセグメントスポット放送システム。
【請求項６】
前記放送コンテンツを前記放送装置へ配信するサーバをさらに有することを特徴とする請求項１から４のいずれか１項記載のワンセグメントスポット放送システム。
【請求項７】
前記携帯端末は、前記サーバに対して、前記放送装置へ配信する放送コンテンツを変更する要求を送信する手段を有し、
前記サーバは、前記放送装置へ配信する放送コンテンツを前記携帯端末からの要求に応じて変更することを特徴とする請求項６記載のワンセグメントスポット放送システム。
【請求項８】
前記放送装置へ配信する放送コンテンツの変更を前記サーバに対して要求するためのコマンドが、データ放送として前記放送コンテンツに含まれることを特徴とする請求項７記載のワンセグメントスポット放送システム。
【請求項９】
微弱電波でワンセグメント放送を行う放送装置であって、
前記放送コンテンツを前記微弱電波で放送する手段と、
前記携帯端末からの要求に応じて、前記微弱電波の周波数を示すチャンネル情報を、要求元の携帯端末へ送信する手段とを有することを特徴とする放送装置。
【請求項１０】
放送コンテンツを暗号化して暗号化放送コンテンツを生成する手段と、
前記暗号化コンテンツを復号する際に用いられる暗号情報の送信を要求する携帯端末に、前記放送コンテンツを再生する権限があるか否かを判断する手段と、
前記放送コンテンツを再生する権限を有する携帯端末からの要求に応じて、前記暗号情報を、要求元の携帯端末へ送信する手段とを有することを特徴とする請求項９記載の放送装置。
【請求項１１】
ワンセグメント放送を受信する機能を備えた携帯端末であって、
放送装置から微弱電波によるワンセグメント放送として出力される放送波の周波数を示すチャンネル情報の送信を前記放送装置に要求する手段と、
前記放送装置から取得したチャンネル情報に基づいて、ワンセグメント放送の受信チャンネルを設定する手段とを有することを特徴とする携帯端末。
【請求項１２】
前記放送装置によって暗号化された暗号化放送コンテンツを復号して放送コンテンツに復元する際に用いられる暗号情報の送信を前記放送装置に要求する手段と、
前記放送装置から取得した暗号情報に基づいて、ワンセグメント放送を受信して取得した前記暗号化放送コンテンツを復号する手段とを有することを特徴とする請求項１１記載の携帯端末。
【請求項１３】
前記放送コンテンツを前記放送装置へ配信するサーバに対して、前記放送装置へ配信する放送コンテンツを変更する要求を送信する手段を有することを特徴とする請求項１１又は１２記載の携帯端末。
【請求項１４】
微弱電波でワンセグメント放送を行う放送装置から放送される放送コンテンツを携帯端末において視聴するワンセグメントスポット放送受信方法であって、
前記携帯端末が、放送装置から前記微弱電波によるワンセグメント放送として出力される放送波の周波数を示すチャンネル情報の送信を前記放送装置に要求するステップと、
前記放送装置が、前記携帯端末からの要求に応じて、前記チャンネル情報を、要求元の携帯端末へ送信するステップと、
前記携帯端末が、前記放送装置から取得したチャンネル情報に基づいて、ワンセグメント放送の受信チャンネルを設定するステップとを有することを特徴とするワンセグメントスポット放送受信方法。
【請求項１５】
前記チャンネル情報及びその送信要求を、前記放送装置と前記携帯端末との間の非接触通信によって授受することを特徴とする請求項１４記載のワンセグメントスポット放送受信方法。
【請求項１６】
前記携帯端末が、前記放送装置によって暗号化された暗号化放送コンテンツを復号して放送コンテンツに復元する際に用いられる暗号情報の送信を前記放送装置に要求するステップと、
前記放送装置が、前記暗号情報との送信を要求する携帯端末に、前記放送コンテンツを再生する権限があるか否かを判断するステップと、
前記放送装置が、前記放送コンテンツを再生する権限を有する携帯端末からの要求に応じて、前記暗号情報を要求元の携帯端末へ送信するステップと、
前記携帯端末が、前記放送装置から取得した暗号情報に基づいて、ワンセグメント放送を受信して取得した前記暗号化放送コンテンツを復号するステップとを有することを特徴とする請求項１４記載のワンセグメントスポット放送受信方法。
【請求項１７】
前記暗号情報及びその送信要求を、前記放送装置と前記携帯端末との間の非接触通信によって授受することを特徴とする請求項１６記載のワンセグメントスポット放送受信方法。
【発明の詳細な説明】
【技術分野】
【０００１】
本発明は、微弱電波を用いて放送されるコンテンツを容易に視聴可能なワンセグメントスポット放送システム、放送装置、携帯端末及びワンセグメントスポット放送受信方法に関する。
【背景技術】
【０００２】
近年、テレビ放送の受信機能を備えた携帯端末が普及しつつある。
【０００３】
一般的に、テレビ放送を受信可能な携帯端末は、テンキーなどのボタンに割り当てて１０種程度の周波数を登録できるようになっている。周波数を登録しておくことにより、チャンネル選択時には、任意の周波数を割り当てたボタンを押下するだけで、ボタンに割り当てられた周波数の電波を受信できる。
【０００４】
テレビ放送を受信・視聴するためには、テレビ局が発する放送波の周波数と受信器の周波数とを合わせる必要がある。テレビ局が発する放送波を受信可能な範囲は、その放送波を発するアンテナからの距離によって概ね定まるため、携帯端末が所在する場所において放送波の周波数を登録する、いわゆるチャンネル設定を行う必要がある。
【０００５】
このため、地域ごとの受信可能なテレビ局に関する情報（チャンネルリスト）を携帯端末に予め記憶させておき、携帯端末が所在する地域を選択することにより、その地域で受信可能なテレビ局を一括して登録する方法が用いられている。
【０００６】
このような方法でチャンネル設定を行う発明として、特許文献１に開示される「放送用受信機およびチャンネル設定方法。」がある。
特許文献１に開示される発明は、移動体通信端末電波などを用いて自己の位置を特定し、チャンネルリストを記憶する記憶手段に登録記憶されているチャンネルリストに基づいて、現在位置におけるチャンネル設定を自動的に行うものである。
【０００７】
一方、地上波デジタル放送の一種であるワンセグメント放送は、かつては放送免許を持つ特定の放送事業者のみが放送を許されていたが、規制緩和により、微弱電波を用いるのであれば、放送免許を持たない者であっても、空きチャネルを利用して放送できるようになった。以下、このような微弱電波での放送を「スポット放送」、微弱電波で放送する放送局を「スポット放送局」と表記する。
【特許文献１】特開２００８−１２４７１８号公報
【発明の開示】
【発明が解決しようとする課題】
【０００８】
ワンセグメントスポット放送では、ユーザが行く先々においてその場所で視聴可能なコンテンツを視聴するという利用形態が想定される。しかし、スポット放送局は、チャンネルリストには含まれていないため、スポット放送を視聴するためには、ユーザは、スポット放送局の周波数を他のテレビ局の放送波が割り当てられていないボタンに割り当てる作業を視聴に先立って行わなければならなかった。
【０００９】
このように、スポット放送を視聴するためには煩雑な設定が必要であるため、スポット放送の活用の妨げとなっている。
【００１０】
本発明は係る問題に鑑みてなされたものであり、微弱電波を用いて放送されるコンテンツを容易に視聴可能なワンセグメントスポット放送システム、放送装置、携帯端末及びワンセグメントスポット放送受信方法を提供することを目的とする。
【課題を解決するための手段】
【００１１】
上記目的を達成するため、本発明は、第１の態様として、微弱電波でワンセグメント放送を行う放送装置から放送される放送コンテンツを携帯端末において視聴するワンセグメントスポット放送システムであって、放送装置は、放送コンテンツを微弱電波で放送する手段と、放送コンテンツを再生する権限を有する携帯端末からの要求に応じて、微弱電波の周波数を示すチャンネル情報を、要求元の携帯端末へ送信する手段とを有し、携帯端末は、チャンネル情報の送信を放送装置に要求する手段と、放送装置から取得したチャンネル情報に基づいて、ワンセグメント放送の受信チャンネルを設定する手段とを有することを特徴とするワンセグメントスポット放送システムを提供するものである。
【００１２】
また、上記目的を達成するため、本発明は、第２の態様として、微弱電波でワンセグメント放送を行う放送装置であって、放送コンテンツを微弱電波で放送する手段と、放送コンテンツを再生する権限を有する携帯端末からの要求に応じて、微弱電波の周波数を示すチャンネル情報を、要求元の携帯端末へ送信する手段とを有することを特徴とする放送装置を提供するものである。
【００１３】
また、上記目的を達成するため、本発明は、第３の態様として、ワンセグメント放送を受信する機能を備えた携帯端末であって、放送装置から微弱電波によるワンセグメント放送として出力される放送波の周波数を示すチャンネル情報の送信を放送装置に要求する手段と、放送装置から取得したチャンネル情報に基づいて、ワンセグメント放送の受信チャンネルを設定する手段とを有することを特徴とする携帯端末を提供するものである。
【００１４】
また、上記目的を達成するため、本発明は、第４の態様として、微弱電波でワンセグメント放送を行う放送装置から放送される放送コンテンツを携帯端末において視聴するワンセグメントスポット放送受信方法であって、携帯端末が、放送装置から微弱電波によるワンセグメント放送として出力される放送波の周波数を示すチャンネル情報の送信を放送装置に要求するステップと、放送装置が、携帯端末からの要求に応じて、チャンネル情報を、要求元の携帯端末へ送信するステップと、携帯端末が、放送装置から取得したチャンネル情報に基づいて、ワンセグメント放送の受信チャンネルを設定するステップとを有することを特徴とするワンセグメントスポット放送受信方法を提供するものである。
【発明の効果】
【００１５】
本発明によれば、微弱電波を用いて放送されるコンテンツを容易に視聴可能なワンセグメントスポット放送システム、放送装置、携帯端末及びワンセグメントスポット放送受信方法を提供できる。
【発明を実施するための最良の形態】
【００１６】
図１に示すように、本発明に係るワンセグメントスポット放送システムは、微弱電波でワンセグメント放送を行う放送装置１から放送される放送コンテンツを携帯端末２において視聴するワンセグメントスポット放送システムであって、放送装置１は、放送コンテンツを微弱電波で放送するコンテンツ送信部１１と、携帯端末２からの要求に応じて、微弱電波の周波数を示すチャンネル情報を、携帯端末２へ送信する情報通知部１２とを有し、携帯端末２は、チャンネル情報の送信を放送装置１に要求する情報要求部２１と、放送装置１から取得したチャンネル情報に基づいて、ワンセグメント放送の受信チャンネルを設定するチャンネル設定部２２とを有することを特徴とする。
【００１７】
上記構成に係るワンセグメントスポット放送システム、放送装置、携帯端末及びこのシステムにおいて行われるワンセグメントスポット放送受信方法によれば、スポット放送を受信するための携帯端末におけるチャンネル設定作業を簡略化できる。これにより、ワンセグメントスポット放送の視聴を容易とし、視聴者数の拡大を図ることができる。
【００１８】
なお、図２に示すように、放送装置１に、放送コンテンツを暗号化して暗号化放送コンテンツを生成する暗号化放送コンテンツ生成部１３と、暗号化放送コンテンツを復号する際に用いられる暗号情報の送信を要求する携帯端末に、放送コンテンツを再生する権限があるか否かを判断する認証部１４を設け、放送コンテンツを再生する権限を有する携帯端末からの要求に応じて、暗号情報を、情報通知部１２から要求元の携帯端末へ送信させるようにし、携帯端末２において、情報要求部２１に暗号情報の送信を放送装置１に要求させ、放送装置１から取得した暗号情報に基づいて、ワンセグメント放送を受信して取得した暗号化放送コンテンツを復号する暗号化放送コンテンツ復号部２３をさらに設けることにより、スポット放送として放送される放送コンテンツを、権限を有する者にのみ、移動体通信網を介しての通信状態によらずに視聴させることが可能となる。
【００１９】
以下、本発明の好適な実施の形態について図面を用いて説明する。
【００２０】
〔第１の実施形態〕
本発明を好適に実施した第１の実施形態について説明する。
図３に、本実施形態に係るワンセグメントスポット放送システムの構成を示す。
図示するように、本実施形態に係るワンセグメントスポット放送システムはスポット放送局１００と携帯端末２００とを有する。
【００２１】
スポット放送局１００は、制御部１０１、非接触通信部１０３、コンテンツ配信部１０４、アンテナ１０６、及びコンテンツ格納部１０７を有する。制御部１０１は、スポット放送局１００の各部を制御するコンピュータである。非接触通信部１０３は、携帯端末２００とダイレクトに非接触通信を行うインタフェースである。コンテンツ配信部１０４は、放送コンテンツをワンセグメントのスポット放送で配信する処理を行う。アンテナ１０６は、コンテンツデータを電気信号から無線信号に変換して出力する。コンテンツ格納部１０７は、コンテンツ配信部１０４がスポット放送するコンテンツが格納されている。
なお、コンテンツ配信部１０４及びアンテナ１０６が図１におけるコンテンツ送信部１１に相当し、制御部１０１が図１における情報通知部１２に相当する。
【００２２】
携帯端末２００は、制御部２０１、非接触通信部２０２、アンテナ２０４、コンテンツ復元部２０５、表示部２０６、及び音声出力部２０７を有する。制御部２０１は、携帯端末２００においてスポット放送を受信する際の動作を制御する。非接触通信部２０２は、スポット放送局１００とダイレクトに非接触通信を行うインタフェースである。アンテナ２０４は、スポット放送局１００から送出された無線信号を受信し、電気信号に変換する。コンテンツ復元部２０５は、アンテナ２０４から電気信号として入力されたコンテンツデータを放送コンテンツに復元する。表示部２０６は、放送コンテンツに含まれる映像及びデジタルデータ（データ放送のデータ）を表示する装置である。音声出力部２０７は、放送コンテンツに含まれる音声を出力する装置である。
なお、制御部２０１が図１における情報要求部２１及びチャンネル設定部２２に相当する。
【００２３】
携帯端末２００においてスポット放送局１００の放送コンテンツの視聴を開始する際の動作について説明する。図４に、放送コンテンツの視聴を開始する際の動作シーケンスの一例を示す。
携帯端末２００とスポット放送局１００とが非接触通信可能な距離において、制御部２０１がチャンネル情報の送信要求を非接触通信部２０２を介してスポット放送局１００へ送信する（Ｔ１）。
携帯端末２００からのチャンネル情報の送信要求を非接触通信部１０３を介して受信した制御部１０１は、アンテナ１０６から送出する電波の周波数を示す情報（チャンネル情報）を、非接触通信部１０３を介して携帯端末２００へ送信する（Ｔ２）。
スポット放送局１００から非接触通信部２０２を介してチャンネル情報を受信した制御部２０１は、スポット放送局１００が送出する放送波を受信するようにアンテナ２０４を制御する（Ｔ３）。
アンテナ２０４によって受信された放送コンテンツは、コンテンツ復元部２０５において放送コンテンツへ復元されたのち、表示部２０６、音声出力部２０７において表示、出力される（Ｔ４）。
【００２４】
上記の処理により、スポット放送局１００からスポット放送によって配信される放送コンテンツを携帯端末２００において視聴可能となる。
【００２５】
このように、本実施形態に係るワンセグメントスポット放送システムは、スポット放送局１００からスポット放送で配信される放送コンテンツを視聴する者は、自身で携帯端末のチャンネル設定を行わなくとも放送コンテンツを視聴できる。
【００２６】
〔第２の実施形態〕
本発明を好適に実施した第２の実施形態について説明する。
図５に、本実施形態に係るワンセグメントスポット放送システムの構成を示す。
第１の実施形態と同様に、スポット放送局１００と携帯端末２００とを有する。
【００２７】
スポット放送局１００は、第１の実施形態の構成に加え、認証部１０２及び暗号化部１０５をさらに有する。認証部１０２は、携帯端末２００がスポット放送によって配信する放送コンテンツを再生する権限を有するか否か（携帯端末２００のユーザが放送コンテンツを視聴する権限を有するか否か）を確認する。暗号化部１０５は、放送コンテンツのデータを暗号化し暗号化コンテンツデータを生成する。なお、本実施形態においては、アンテナ１０６は、暗号化コンテンツデータを電気信号から無線信号に変換して出力する。
なお、暗号化部１０５、アンテナ１０４、認証部１０２及び制御部１０１が図２における暗号化放送コンテンツ生成部１３、コンテンツ送信部１１、情報通知部１２にそれぞれ相当する。
【００２８】
携帯端末２００は、第１の実施形態の構成に加え、認証情報格納部２０３をさらに有する。認証情報格納部２０３は、スポット放送局１００が視聴権限を確認する際に用いられる認証用情報が格納されている。なお、本実施形態においては、コンテンツ復元部２０５は、アンテナ２０４から電気信号として入力された暗号化コンテンツデータを復号した上で、放送コンテンツに復元する。
なお、制御部２０１が図２における情報要求部２１及びチャンネル設定部２２に、コンテンツ復元部２０５が図２における暗号化放送コンテンツ復号部２３にそれぞれ相当する。
【００２９】
図６に、本実施形態に係るワンセグメントスポット放送システムにおいて放送コンテンツの視聴を開始する際の処理の流れを示す。
スポット放送局１００の制御部１０１は、認証処理を受け付け可能な状態であることを携帯端末２００に通知するために、非接触通信部１０３を介して認証受付通知を出力する（ステップＳ１０１）。携帯端末２００の制御部２０１は、非接触通信部２０２を介して認証受付通知を受信すると、認証情報格納部２０３に格納されている認証用情報と認証要求とを、非接触通信部２０２を介してスポット放送局１００へ送信する。
【００３０】
スポット放送局１００の制御部１０１は、認証用情報及び認証要求を受信すると（ステップＳ１０２／Ｙｅｓ）、認証部１０２において認証用情報に基づいて認証処理を行い、携帯端末２００のユーザが放送コンテンツを視聴する権限を有するか否かを確認する（ステップＳ１０３）。携帯端末１００からの応答がない場合は（ステップＳ１０２／Ｎｏ）、スポット放送局２００の制御部２０１は、繰り返し認証受付通知を出力する。
【００３１】
携帯端末２００のユーザが放送コンテンツを視聴する権限を有する場合（ステップＳ１０４／Ｙｅｓ）、制御部１０１は暗号化部１０５で暗号化された暗号化コンテンツデータを復号するために必要となる情報（暗号情報）を暗号化部１０５から取得し、アンテナ１０６から送出する電波の周波数を示す情報（チャンネル情報）とともに、非接触通信部１０３を介して携帯端末２００へ送信する（ステップＳ１０５）。
【００３２】
携帯端末２００の制御部２０１は、チャンネル情報及び暗号情報をスポット放送局１００から受信すると、スポット放送局１００が送出する放送波を受信するようにアンテナ２０４を制御する（ステップＳ１０６）。また、制御部２０１は、暗号情報をコンテンツ復元部２０５へ通知して、暗号化コンテンツデータをコンテンツ復元部２０５において復号し、放送コンテンツを復元する（ステップＳ１０７）。復元された放送コンテンツは、表示部２０６、音声出力部２０７において表示、出力される。
【００３３】
上記の処理により、スポット放送局１００からスポット放送によって配信される放送コンテンツを携帯端末２００において視聴可能となる。
【００３４】
なお、携帯端末２００のユーザに放送コンテンツを視聴する権限がない場合（ステップＳ１０４／Ｎｏ）、暗号情報は携帯端末２００には通知されないため、携帯端末２００のユーザがアンテナ２０４の受信周波数をスポット放送局１００が放送する電波の周波数に手動で合わせたとしても、暗号化コンテンツデータを復号できない。すなわち、視聴権限がない者は放送コンテンツを視聴できない。
【００３５】
また、図７に、放送コンテンツの視聴を開始する際の動作シーケンスの一例を示す。スポット放送局１００からは定期的に認証受付通知が出力されている（Ａ１）。携帯端末２００は、スポット放送局１００からの認証受付通知を受信すると、携帯端末２００から認証要求と認証用情報とが非接触通信によってスポット放送局１００へ送信される（Ａ２）。スポット放送局１００では、携帯端末２００からの認証要求を受けて、認証要求とともに受信した認証用情報を用いて認証処理が行われる（Ａ３）。認証が成功すると、スポット放送局１００からは、チャンネル情報及び暗号情報が非接触通信によって携帯端末２００へ出力される（Ａ４）。携帯端末２００は、スポット放送局１００から受信したチャンネル情報に基づいてチャンネル設定を行い、スポット放送局１００から送信されるスポット放送波を受信する（Ａ５）。また、携帯端末２００は、スポット放送局から受信した暗号情報に基づいて、スポット放送波として受信した暗号化コンテンツデータを復号し、放送コンテンツを再生する（Ａ６）。
【００３６】
このように、本実施形態に係るワンセグメントスポット放送システムは、スポット放送局１００からスポット放送で配信される放送コンテンツを視聴する権限を有する者は、自身で携帯端末のチャンネル設定を行わなくとも放送コンテンツを視聴できる。
また、放送コンテンツを視聴する権限を有さない者は、手動でチャンネル設定を行っても放送コンテンツを視聴できない。このため、特定の者に対してのみ放送コンテンツを視聴させることが可能である。
さらに、暗号化コンテンツデータの復号に必要となる情報を移動体通信網を介さずに携帯端末に取得するため、携帯端末が移動体通信網を利用可能であるか否かに関わらず、放送コンテンツを視聴可能である。
【００３７】
本実施形態に係るワンセグメントスポット放送システムの適用例として、スポット放送局を小売り店舗のショーケースの近傍に設置することにより、ショーケースに展示された商品を詳細に説明する放送コンテンツをスポット放送し、会員等に限定して視聴させることができる。
また、博物館等において展示品の近傍にスポット放送局を設置することにより、展示品を説明する放送コンテンツをスポット放送し、入場者に視聴させることができる。
さらに、電車、バス等の乗り物の座席の近傍にスポット放送局を設置することにより、車窓から見える名所等を解説する放送コンテンツをスポット放送し、乗客に視聴させることができる。
なお、これらは本実施形態に係るワンセグメントスポット放送システムの適用の一例であり、このような適用方法に限定されるものではない。
【００３８】
〔第３の実施形態〕
本発明を好適に実施した第３の実施形態について説明する。
図８に、本実施形態に係るワンセグメントスポット放送システムの構成を示す。本実施形態に係るワンセグメントスポット放送システムは、スポット放送局１００、携帯端末２００及び放送番組配信サーバ３００を有する。
【００３９】
スポット放送局１００は、第２の実施形態とほぼ同様である。ただし、コンテンツ格納部を備えておらず、コンテンツ配信部１０４が配信する放送コンテンツは、放送番組配信サーバ３００からネットワーク４００を介してスポット放送局１００に配信される。放送番組配信サーバ３００からスポット放送局１００への番組の配信は、ストリーム配信であってもよいし、ダウンロード配信であっても良い。
【００４０】
本実施形態においてスポット放送局１００は、放送番組配信サーバ３００から配信された放送コンテンツをスポット放送で配信する。このため、スポット放送局１００内に放送コンテンツを蓄積する必要がなく、スポット放送局１００を小型化可能である。
【００４１】
番組視聴開始時の動作については上記第１の実施形態と同様であるため、重複する説明は省略する。
【００４２】
〔第４の実施形態〕
本発明を好適に実施した第３の実施形態について説明する。
図９に、本実施形態に係るワンセグメントスポット放送システムの構成を示す。本実施形態に係るワンセグメントスポット放送システムは、スポット放送局１００、携帯端末２００及び放送番組配信サーバ３００を有する。
【００４３】
スポット放送局１００は、第３の実施形態と同様である。
【００４４】
携帯端末２００は、移動体通信部２０８をさらに有する。移動体通信部２０８は、ネットワーク４００上の基地局と移動体通信によって通信するための機能部である。移動体通信としては、携帯電話網を利用した通信の他、無線ＬＡＮ網を利用した通信等を活用可能である。
【００４５】
放送番組配信サーバ３００は、複数の番組（放送コンテンツ）を格納しており、携帯端末２００からの要求に応じた番組をスポット放送局１００へ配信する。
【００４６】
ワンセグメントスポット放送受信開始の手順は、上記第１の実施形態と同様である。ただし、本実施形態においては、スポット放送局１００が配信する番組の変更を放送番組配信サーバ３００へ要求する処理を実行するためのコマンドが、データ放送として放送コンテンツに含まれて携帯端末２００に配信される。
【００４７】
スポット放送局１００から配信される放送コンテンツを視聴中に携帯端末２００において番組変更を要求する処理が実行されると、携帯端末２００の制御部２０１は、番組変更要求を移動体通信部２０８からネットワーク４００を介して放送番組配信サーバ３００へ送信する。
携帯端末２００からの番組変更要求を受信した放送番組配信サーバ３００は、要求に応じた番組の放送コンテンツをネットワーク４００を介してスポット放送局１００へ配信する。
放送番組配信サーバ３００から別の番組の放送コンテンツを受信すると、スポット放送局１００の制御部１０１は、別の番組の放送コンテンツをコンテンツ配信部１０４に配信させる。
【００４８】
図１０に、本実施形態に係るワンセグメントスポット放送システムにおける放送コンテンツの変更時の動作シーケンスの一例を示す。
まず、放送番組配信サーバ３００からスポット放送局１００へ放送コンテンツが配信される（Ｂ１）。その後、スポット放送局１００及び携帯端末２００が、図７に示したような視聴開始処理を行うことにより、携帯端末２００において放送コンテンツの視聴が開始される。放送コンテンツにデータ放送として含まれている番組の変更を要求する処理を実行するためのコマンドが実行されると、携帯端末２００から放送番組配信サーバ３００へ番組変更要求がネットワーク４００を介して送信される（Ｂ３）。放送番組配信サーバ３００は、携帯端末２００からの番組変更要求を受けて、要求された番組の放送コンテンツをスポット放送局１００へ配信する（Ｂ４）。スポット放送局１００は、放送番組配信サーバ３００から別の番組の放送コンテンツを配信されると、スポット放送の対象を新たに受信した放送コンテンツに変更する（Ｂ５）。これにより、携帯端末２００からの番組変更要求に応じた放送コンテンツがスポット放送局１００からスポット配信される（Ｂ６）。携帯端末２００がスポット放送波を受信することにより、番組変更要求に応じた放送コンテンツが携帯端末２００において視聴される。
【００４９】
番組を変更する際には、スポット放送の周波数や暗号化の方法は変更されずに、放送コンテンツの内容のみが変更されるため、携帯端末はチャンネル情報や暗号情報をスポット放送局から取得し直す必要はない。
【００５０】
本実施形態においては、番組の変更の際には移動体通信網を用いるが、視聴開始時には移動体通信網を介した通信は行わない。したがって、移動体通信網の通信インフラが整備されていない場所や電界強度の弱い場所においても放送コンテンツを視聴可能である。
また、同一のスポット放送局から複数の番組を選択的に配信可能であり、スポット放送する番組はユーザが選択可能である。したがって、スポット放送局のエリア内にユーザの嗜好に応じた番組をスポット放送できる。
【００５１】
なお、上記各実施形態は本発明の好適な実施の一例であり、本発明はこれらに限定されることはない。
例えば、上記各実施形態のおいては、携帯端末が１台の構成を例としているが、スポット放送局が２台以上の携帯端末に放送コンテンツを配信できることは言うまでもない。
このように、本発明は様々な変形が可能である。
【図面の簡単な説明】
【００５２】
【図１】本発明に係るワンセグメントスポット放送システムの概念を示す図である。
【図２】本発明に係るワンセグメントスポット放送システムの概念を示す図である。
【図３】本発明を好適に実施した第１の実施形態に係るワンセグメントスポット放送システムの構成を示す図である。
【図４】第１の実施形態に係るワンセグメントスポット放送システムにおけるコンテンツ視聴開始時の動作シーケンスの一例を示す図である。
【図５】本発明を好適に実施した第２の実施形態に係るワンセグメントスポット放送システムの構成を示す図である。
【図６】第２の実施形態に係るワンセグメントスポット放送システムにおける放送コンテンツ視聴開始時の動作の流れを示す図である。
【図７】第２の実施形態に係るワンセグメントスポット放送システムにおけるコンテンツ視聴開始時の動作シーケンスの一例を示す図である。
【図８】本発明を好適に実施した第３の実施形態に係るワンセグメントスポット放送システムの構成を示す図である。
【図９】本発明を好適に実施した第４の実施形態に係るワンセグメントスポット放送システムの構成を示す図である。
【図１０】第４の実施形態に係るワンセグメントスポット放送システムの放送コンテンツ変更時の動作シーケンスの一例を示す図である。
【符号の説明】
【００５３】
１    放送装置
２、２００    携帯端末
１１    コンテンツ送信部
１２    情報通知部
１３    暗号化放送コンテンツ生成部
１４、１０２    認証部
２１    情報要求部
２２    チャンネル設定部
２３    暗号化放送コンテンツ復号部
１００    スポット放送局
１０１、２０１    制御部
１０２    認証部
１０３、２０２    非接触通信部
１０４    コンテンツ配信部
１０５    暗号化部
１０６、２０４    アンテナ
１０７    コンテンツ格納部
２０３    認証情報格納部
２０５    コンテンツ復元部
２０６    表示部
２０７    音声出力部
２０８    移動体通信部
３００    放送番組配信サーバ
４００    ネットワーク
【図１】
2010103632.tif 000003
【図２】
2010103632.tif 000004
【図３】
2010103632.tif 000005
【図４】
2010103632.tif 000006
【図５】
2010103632.tif 000007
【図６】
2010103632.tif 000008
【図７】
2010103632.tif 000009
【図８】
2010103632.tif 000010
【図９】
2010103632.tif 000011
【図１０】
2010103632.tif 000012